(57)【要約】【課題】手軽で安価に、しかもマイクや電源ラインが会議中にも邪魔にならず、さらに、使用後も簡単に片付けを行うことができるマイクシステムを提供する。【解決手段】マイクシステム１は、オーディオライン２２や電源ライン２４が接続される装置本体１１と、装置本体１１に収納可能に伸縮するワイヤ１３と、このワイヤ１３に取り付けられ、ワイヤ内を介して装置本体１１に接続される複数のマイク１２Ａ〜１２Ｄと、を備えている。装置本体は机上から離れた位置に設置されるため、電源ラインやオーディオラインが見た目につかない。また、話者の頭上にマイクが並ぶことになり、机上にマイクを設置する必要がない。また、マイク毎に伸縮機構を設ける必要がないため、コストがかからない。さらに、電源ラインやオーディオラインは、会議毎に取り付け、取り外しをする必要もなく、ワイヤを装置本体に収納するだけで、簡単に片付けを行うことができる。【選択図】図１
2009272812.tif 000002
【特許請求の範囲】
【請求項１】
電源ライン、オーディオラインが接続され、机上から離れた位置で、かつ話者の頭部よりも高い位置に設置される装置本体と、
前記装置本体に伸縮自在に収納されるワイヤと、
前記ワイヤに取り付けられた複数のマイクと、
前記ワイヤの伸張方向の先端部に取り付けられ、室内壁面に係合する係合部と、
を備えたマイクシステム。
【請求項２】
前記装置本体は、前記複数のマイクが収音した音声を比較し、同一の話者から発せられた音声であるか否かを分析する収音分析部と、
前記複数のマイクが収音した音声をミキシングするミキサと、を備え、
前記収音分析部は、同一の話者から発せられた音声であると分析した場合、最も高レベルの音声を外部に出力させるように前記ミキサに設定する請求項１に記載のマイクシステム。
【請求項３】
前記装置本体は、外部マイク入力端子を備え、
前記ミキサは、外部マイク入力端子から入力された音声信号をさらにミキシングする請求項２に記載のマイクシステム。
【請求項４】
前記ワイヤ上を移動する移動機構を備え、
前記マイクは、前記移動機構に吊り下げられることでワイヤに取り付けられ、
前記移動機構は、前記マイクが最も高レベルに音声を収音できる位置に移動することを特徴とする請求項１、請求項２、または請求項３に記載のマイクシステム。
【請求項５】
前記移動機構からマイクが吊り下げられる長さを変更する長さ変更機構を備えた請求項４に記載のマイクシステム。
【発明の詳細な説明】
【技術分野】
【０００１】
この発明は、複数のマイクと、オーディオラインや電源ラインが接続される装置本体と、を備えたマイクシステムに関する。
【背景技術】
【０００２】
従来、本体から伸縮自在の接続部を介して話者の前にマイクを設置する電子会議システムが提案されている（例えば特許文献１参照）。また、一般的には天井から複数のマイクを吊るすシステムも知られている。
【特許文献１】特開昭６３−８７０６７号公報
【発明の開示】
【発明が解決しようとする課題】
【０００３】
しかし、特許文献１の伸縮機構は、マイク毎に接続部が必要なため、コストがかかるという問題があった。
【０００４】
また、話者の前（机上）にマイクを設置すると会議に邪魔となる、という問題があった。
【０００５】
さらに、机上に設置した装置本体から電源ラインやオーディオラインが延びていると、見た目にも煩わしく、使用後に片付けることも面倒であるという問題があった。
【０００６】
一方、天井からマイクを吊るすシステムにおいても、設置コストがかかり、一旦設置するとマイク位置を移動させることが困難であり、汎用性に乏しいという問題があった。
【０００７】
そこで、この発明は、手軽で安価に、しかもマイクや電源ラインが会議中にも邪魔にならず、さらに、使用後も簡単に片付けを行うことができるマイクシステムを提供することを目的とする。
【課題を解決するための手段】
【０００８】
この発明の音響機器は、電源ライン、オーディオラインが接続され、机上から離れた位置で、かつ話者の頭部よりも高い位置に設置される装置本体と、前記装置本体に伸縮自在に収納されるワイヤと、前記ワイヤに取り付けられた複数のマイクと、前記ワイヤの伸張方向の先端部に取り付けられ、室内壁面に係合する係合部と、を備えたことを特徴とする。
【０００９】
この場合、装置本体は机上から離れた位置に設置されるため、電源ラインやオーディオラインが見た目につかない。また、複数のマイクが取り付けられたワイヤが話者の頭部よりも高い位置で伸縮するため、このワイヤを伸ばして先端部を壁面に係合させると、話者の頭上にマイクが並ぶことになり、机上にマイクを設置する必要がない。また、マイク毎に伸縮機構を設ける必要がないため、コストがかからない。さらに、電源ラインやオーディオラインは、机上から離れた装置本体に接続されているため、会議毎に取り付け、取り外しをする必要もなく、ワイヤを装置本体に収納するだけで、簡単に片付けを行うことができる。なお、係合部としては、壁面に引っかけるフックや、壁面に吸着する吸盤等を用いる。
【００１０】
また、上記発明において、装置本体は、前記複数のマイクが収音した音声を比較し、同一の話者から発せられた音声であるか否かを分析する収音分析部と、前記複数のマイクが収音した音声をミキシングするミキサと、を備えていることが望ましい。この場合、収音分析部は、同一の話者から発せられた音声であると分析した場合、最も高レベルの音声を外部に出力させるようにミキサに設定する。これにより、話者の音声を高レベルで（高いＳ／Ｎ比で）収音することができる。
【００１１】
また、装置本体は、外部マイク入力端子を備えていてもよい。
【００１２】
また、上記発明において、ワイヤ上を移動する移動機構を備え、前記マイクは、前記移動機構に吊り下げられることでワイヤに取り付けられ、前記移動機構が、最も高レベルに音声を収音できる位置に移動するようにしてもよい。この場合、話者の音声を高レベルで収音することができる。
【００１３】
また、前記移動機構からマイクが吊り下げられる長さを変更する長さ変更機構を備えていてもよい。
【発明の効果】
【００１４】
この発明によれば、手軽で安価に、しかもマイクや電源ラインが会議中にも邪魔にならず、さらに、使用後も簡単に片付けを行うことができる。
【発明を実施するための最良の形態】
【００１５】
以下、本発明の実施形態に係るマイクシステムについて説明する。図１は、本実施形態のマイクシステムの外観を示す図である。図２は、マイクシステムの構成を示すブロック図である。図３は、マイクシステムの使用例を示す図である。
【００１６】
図１に示すように、マイクシステム１は、オーディオライン２２や電源ライン２４が接続される装置本体１１と、装置本体１１に収納可能に伸縮するワイヤ１３と、このワイヤ１３に取り付けられ、ワイヤ内に埋め込まれた信号線を介して装置本体１１に接続される複数のマイク１２Ａ〜１２Ｄと、を備えている。なお、マイクの数は同図の例に限るものではない。
【００１７】
図２に示すように、装置本体１１は、オーディオ端子からなる入出力インタフェース（Ｉ／Ｆ）１７と、ミキサ１５と、収音分析部１６と、を備えている。電源部（不図示）には電源ライン２４から電力が供給される。図１の例では、装置本体１１は、室内の壁面天井付近に取り付けられており、ワイヤ１３を天井付近で伸縮することができるようになっている。ワイヤ１３の先端にはフック１４が取り付けられており、このフック１４を室内の反対側の壁面に設けられたフック掛け２１に引っかけることで、装置本体１１からフック掛け２１にかけてワイヤ１３を這わせることができる。
【００１８】
この状態において、ワイヤ１３に取り付けられた複数のマイク１２Ａ〜１２Ｄは、それぞれ室内の床面方向の音声を収音するようになっており、テーブルを挟んで並んでいる話者３１Ａ〜３１Ｄ、および話者３２Ａ〜３２Ｄの発話音声を収音する。各マイクが収音した音声は、装置本体１１のミキサ１５および収音分析部１６に入力される。
【００１９】
収音分析部１６は、各マイクが収音した音声を比較し、同一の話者から発せられた音声であるか否かを分析する。すなわち、各マイクが収音した音声の信号レベル、周波数特性を比較し、同一の音源から収音されたものであるか否かを判断する。収音分析部１６は、同一の音源から収音されたと判断した場合、これらの音声のうち最もレベルが高い信号のみ出力するようにミキサ１５に設定する。結果、各話者に最も近いマイクで収音された音声がミキシングされる。また、収音分析部１６は、異なる音源から収音されたと判断した場合、これらの音声をそのままミキシングするようにミキサ１５に設定する。なお、信号レベルが低すぎる場合（閾値以下である場合）、そのマイクの音声をオフするように設定し、ノイズ成分をカットするようにしてもよい。
【００２０】
ミキサ１５でミキシングされた音声は、入出力Ｉ／Ｆ１７を介して外部に出力される。
【００２１】
なお、入出力Ｉ／Ｆ１７には、ハンドマイク等の外部マイクが接続され、この外部マイクから入力された音声もミキサ１５でミキシングされ、全音声が１系統に集約されて外部に出力される。
【００２２】
次に、このマイクシステムの使用態様について図３を用いて説明する。同図（Ａ）は、室内に８名の話者が居る場合の使用例を示している（図１と同様）。同図の実線のように装置本体１１からフック掛け２１にかけてワイヤ１３を這わせると、テーブルの中心線上に複数のマイク１２Ａ〜１２Ｄが並び、テーブルを挟んで並んでいる話者３１Ａ〜３１Ｄ、および話者３２Ａ〜３２Ｄの頭上にマイク１２Ａ〜１２Ｄが並ぶことになる。この場合、全ての話者の発話音声を収音することができる。
【００２３】
一方、同図の破線のように、装置本体１１が設置されている壁面３に直交する壁面５にかけてワイヤ１３を這わせると、主に話者３２Ａおよび話者３２Ｂの発話音声を収音するように設定することができる。このように、ある特定の領域の音声を収音することもできる。この場合、装置本体側の一部のマイク（例えばマイク１２Ａやマイク１２Ｂ）は、外部に露出せずに装置本体に収納されたままとなるが、これらのマイクが収音した音声は外部に出力されないように、収音分析部１６で設定される。例えば、収音分析部１６は、ワイヤが引き出された長さを検出し、この長さに応じて外部に露出していないマイクを判断し、そのマイクをオフするように設定する。
【００２４】
さらに、同図（Ｂ）に示すように、複数のマイクシステムを設置することで、大会議室等の大きな空間にも対応することができる。
【００２５】
なお、室内に複数のフック掛けを設け、これらフック掛けにワイヤの中途部分を引っかけることで、天井方向から見てＬ字型やＷ型等にワイヤを這わせることも可能である。
【００２６】
このように、本実施形態のマイクシステムでは、手軽に各マイクの位置を変更することができ、装置本体は机上から離れた位置に設置されるため、電源ラインやオーディオラインが見た目につかず、会議中にも邪魔にならない。また、マイク毎に伸縮機構を設ける必要がないため、コストがかからない。さらに、電源ラインやオーディオラインは、机上から離れた装置本体に接続されているため、会議毎に取り付け、取り外しをする必要もなく、ワイヤを装置本体に収納するだけで、簡単に片付けを行うことができる。
【００２７】
なお、上記実施形態では、壁面に設けたフック掛けにワイヤの先端のフックを引っかける例を示したが、ワイヤの先端が壁面に係合する態様であればどのようなものを用いてもよい。例えば壁面に吸着する吸盤等を用いることが可能である。また、電源はフック掛け２１側から供給されるようにしてもよい。この場合、フックおよびフック掛けの形状は電源供給に適したものを用いる（例えば、抜止形の電源コンセントと電源プラグ）。
【００２８】
また、上記実施形態では、装置本体１１を壁面に取り付ける例を示したが、装置本体１１の設置高さが話者の頭上よりも高い位置になる態様であれば、壁面に取り付ける例に限るものではない。例えば、装置本体１１に脚部を設け、この脚部の長さが床面から天井付近に到達する長さであれば話者の頭上よりも高い位置にワイヤを這わせることが可能となる。
【００２９】
また、上記マイク１２Ａ〜１２Ｄでマイクアレイを構成することも可能である。この場合、収音分析部１６は、各マイクが収音した音声に遅延時間を付与し、その後合成することで、所定方向に強い指向性（収音ビーム）を形成することができる。この場合、遅延時間を制御するだけで特定の領域の音声を収音することができ、さらに利便性が向上する。
【００３０】
なお、マイクシステムは、以下のような応用例も可能である。図４は、応用例に係るマイクシステムの外観を示す図である。この例のマイクシステムは、ワイヤ５３と、このワイヤ５３に吊されるスピーカ５１およびマイク５２を備えている。ワイヤ５３は、図１に示したマイクシステムと同様に、装置本体に伸縮自在に収納される。
【００３１】
スピーカ５１、マイク５２は、ワイヤ内に埋め込まれた信号線を介して装置本体１１に接続される。スピーカ５１には、装置本体１１から音声信号が供給され、音声を放音することができる。なお、放音機能（スピーカの機能）は本発明において必須の構成ではない。ここで、スピーカ５１の背面は車輪状になっており、ワイヤ５３をレールとして内蔵モータ等により移動することができるようになっている（本発明の移動機構）。なお、モータ用の電源は、ワイヤ内に埋め込まれた電源ラインを介して装置本体から供給される。
【００３２】
また、スピーカ５１の背面には、ワイヤ上を移動する車輪とは別の車輪が設けられており、マイク５２を吊す別のワイヤがこの別の車輪に取り付けられている（本発明の長さ変更機構）。マイク５２は、この別の車輪が回転することにより、上下方向に移動することができるようになっている。
【００３３】
マイク５２は、収音した音声を装置本体１１に出力する。装置本体１１の収音分析部１６は、収音した音声のレベル検出を行う。このとき、スピーカ５１は、ワイヤ５３上を移動する。スピーカ５１が移動した結果、収音した音声のレベルが高くなった場合、その方向へさらにスピーカ５１が移動する。収音した音声のレベルが低くなった場合、反対方向へスピーカ５１が移動する。結果、最もレベルが高い位置にスピーカ５１が移動することになる。
【００３４】
さらに、最もレベルが高い位置においてマイク５２の吊り下げワイヤが伸び、マイク５２が下方向に移動する。移動量は適宜設定すればよいが、話者の頭上よりも若干高い位置まで移動させる。このように、応用例に係るマイクシステムでは、話者の音声を高レベルで収音することができる。
【００３５】
なお、スピーカ５１、マイク５２からなる吊り下げ部分は複数備えていてよい。この場合、最も装置本体に近いスピーカ５１から順に（シリアルに）反対側のスピーカ５１へ電源や音声信号を供給し、最も装置本体に遠いマイク５２から順に装置本体側へ収音した音声を出力するようにすればよい。
【００３６】
この場合において、各話者の音声が等レベルに収音されるように、マイク５２の移動量を設定するようにしてもよい。例えば、最もレベルが低いマイクは移動量を最大にして最も話者に近づけるようにし、このレベルで他のマイクも収音されるように、他のマイクを上方向へ移動させる。
【００３７】
また、使用後（電源オフ時等）は、全てのスピーカ５１が装置本体１１の方向へ移動するようにしてもよい。使用後は頭上のマイク、スピーカが自動的に部屋の隅に移動するため、さらに簡単に片付けを行うことができる
なお、本実施形態では、ワイヤ内に埋め込まれた信号線で音声を伝達する例を示したが、無線方式により音声を伝達するようにしてもよい。
【図面の簡単な説明】
【００３８】
【図１】マイクシステムの外観を示す図である。
【図２】マイクシステムの構成を示すブロック図である。
【図３】マイクシステムの使用例を示す図である。
【図４】応用例に係るマイクシステムの外観を示す図である。
【符号の説明】
【００３９】
１１−装置本体
１２Ａ〜１２Ｄ−マイク
１３−ワイヤ
１４−フック
【図１】
2009272812.tif 000003
【図２】
2009272812.tif 000004
【図３】
2009272812.tif 000005
【図４】
2009272812.tif 000006